(57)【特許請求の範囲】
【請求項１】
走行するウエブの一の片面に塗工液を塗工するために、走行路上に配された第１ダイと、
前記第１ダイによって、前記ウエブの前記一の片面に塗工区間と未塗工区間とを交互に形成するための第１間欠部と、
前記走行速度に比例したパルス数を含むパルス信号を出力するパルス発生部と、
前記一の片面の前記塗工区間の長さを測定する第１測長部と、
前記第１間欠部に塗工開始を指示して前記塗工区間を形成し始め、この塗工開始になった時点から前記パルス数をカウントして、このカウント数が前記塗工区間の長さに対応した第１塗工パルス数に到達すると塗工終了を指示して前記塗工区間の形成を終了する塗工制御部と、
（１）前記第１測長部によって測定された前記一の片面の前記塗工区間の長さと予め設定された第１基準長さとを比較して、（２）前記塗工区間の長さが前記第１基準長さより長いときは、その長さに対応したパルス数を前記第１塗工パルス数から差し引き、（３）前記塗工区間の長さが前記第１基準長さより短いときは、その短さに対応したパルス数を前記第１塗工パルス数に追加するフィードバック制御部と、
を有し、
前記塗工制御部は、
第１基準信号と第２基準信号とを交互に出力するものであり、（１）前記第１基準信号を出力した開始時点からパルス数をカウントして、（２）このカウント数が第１パターン長に対応した第１パターン長パルス数に到達すると第２基準信号を出力し、（３）この第２基準信号を出力した開始時点からパルス数をカウントして、（４）このカウント数が第２パターン長に対応した第２パターン長パルス数に到達すると前記第１基準信号を再び出力する制御部と、
前記第１間欠部を制御するものであり、（１）前記第１基準信号が入力した開始時点から前記パルス数をカウントして、（２）このカウント数が第１遅延パルス数に到達すると前記第１間欠部に塗工開始を指示して前記塗工区間を形成し始め、（３）この塗工開始になった時点から前記パルス数をカウントして、（４）このカウント数が前記第１塗工パルス数に到達すると前記第１間欠部に塗工終了を指示して前記塗工区間の形成を終了する第１カウンタと、
前記第１間欠部を制御するものであり、（１）前記第２基準信号が入力した開始時点から前記パルス数をカウントして、（２）このカウント数が第２遅延パルス数に到達すると前記第１間欠部に塗工開始を指示して前記塗工区間を形成し始め、（３）この塗工開始になった時点から前記パルス数をカウントして、（４）このカウント数が第２塗工パルス数になると前記第１間欠部に塗工終了を指示して前記塗工区間の形成を終了する第２カウンタと、
を有する間欠塗工装置。
【請求項２】
前記ウエブの他の片面に塗工液を塗工するために、前記走行路上であって前記第１ダイより下流側に配された第２ダイと、
前記第２ダイによって、前記ウエブの前記他の片面に塗工区間と未塗工区間とを交互に形成するための第２間欠部と、
前記他の片面の前記塗工区間の長さを測定する第２測長部と、
をさらに有し、
前記塗工制御部は、前記第２間欠部に塗工開始を指示して前記塗工区間を形成し始め、この塗工開始になった時点から前記パルス数をカウントして、このカウント数が前記塗工区間の長さに対応した第２塗工パルス数に到達すると塗工終了を指示して前記塗工区間の形成を終了し、
前記フィードバック制御部は、（１）前記第２測長部によって測定された前記他の片面の前記塗工区間の長さと予め設定された第２基準長さとを比較して、（２）前記塗工区間の長さが前記第２基準長さより長いときは、その長さに対応したパルス数を前記第２塗工パルス数から差し引き、（３）前記塗工区間の長さが前記第２基準長さより短いときは、その短さに対応したパルス数を前記第２塗工パルス数に追加する、
請求項１に記載の間欠塗工装置。
【請求項３】
前記塗工制御部は、
前記第２間欠部を制御するものであり、（１）前記第１基準信号が入力した開始時点から前記パルス数をカウントして、（２）このカウント数が第３遅延パルス数に到達すると前記第２間欠部に塗工開始を指示して前記塗工区間を形成し始め、（３）この塗工開始になった時点から前記パルス数をカウントして、（４）このカウント数が第３塗工パルス数に到達すると前記第２間欠部に塗工終了を指示して前記塗工区間の形成を終了する第３カウンタと、
前記第２間欠部を制御するものであり、（１）前記第２基準信号が入力した開始時点から前記パルス数をカウントして、（２）このカウント数が第４遅延パルス数に到達すると前記第２間欠部に塗工開始を指示して前記塗工区間を形成し始め、（３）この塗工開始になった時点から前記パルス数をカウントして、（４）このカウント数が第４塗工パルス数に到達すると前記第２間欠部に塗工終了を指示して前記塗工区間の形成を終了する第４カウンタと、
を有する請求項２に記載の間欠塗工装置。
【請求項４】
前記第３遅延パルスと前記第４遅延パルス数は、前記第１ダイと前記第２ダイとの間を前記ウエブが移動する間に発生するパルス数に基づいて設定する、
請求項３に記載の間欠塗工装置。
【請求項５】
前記第１間欠部が第１バルブ、又は、前記第１ダイを前記ウエブへ接近又は離間させる第１移動手段である、
請求項１に記載の間欠塗工装置。
【請求項６】
前記第２間欠部が第２バルブ、又は、前記第２ダイを前記ウエブへ接近又は離間させる第２移動手段である、
請求項２に記載の間欠塗工装置。
【発明の詳細な説明】
【技術分野】
【０００１】
本発明は、ウエブに塗工液を間欠塗工する間欠塗工装置に関するものである。
【背景技術】
【０００２】
従来より、長尺状のウエブに塗工区間と未塗工区間とを交互に形成する間欠塗工装置が提案されている（例えば、特許文献１，２参照）。
【先行技術文献】
【特許文献】
【０００３】
【特許文献１】特開２００１−１７０５４１号公報
【特許文献２】特開２０１４−１４９０８３号公報
【発明の概要】
【発明が解決しようとする課題】
【０００４】
上記のようにウエブに塗工区間と未塗工区間とを形成する場合に、それら長さを正確に塗工することが重要であるが、この塗工が難しいという問題点があった。
【０００５】
そこで、本発明は上記問題点に鑑み、塗工区間と未塗工区間の各長さを正確に塗工できる間欠塗工装置を提供することを目的とするものである。
【課題を解決するための手段】
【０００６】
本発明は、走行するウエブの一の片面に塗工液を塗工するために、走行路上に配された第１ダイと、前記第１ダイによって、前記ウエブの前記一の片面に塗工区間と未塗工区間とを交互に形成するための第１間欠部と、前記走行速度に比例したパルス数を含むパルス信号を出力するパルス発生部と、前記一の片面の前記塗工区間の長さを測定する第１測長部と、前記第１間欠部に塗工開始を指示して前記塗工区間を形成し始め、この塗工開始になった時点から前記パルス数をカウントして、このカウント数が前記塗工区間の長さに対応した第１塗工パルス数に到達すると塗工終了を指示して前記塗工区間の形成を終了する塗工制御部と、（１）前記第１測長部によって測定された前記一の片面の前記塗工区間の長さと予め設定された第１基準長さとを比較して、（２）前記塗工区間の長さが前記第１基準長さより長いときは、その長さに対応したパルス数を前記第１塗工パルス数から差し引き、（３）前記塗工区間の長さが前記第１基準長さより短いときは、その短さに対応したパルス数を前記第１塗工パルス数に追加するフィードバック制御部と、を有し、前記塗工制御部は、第１基準信号と第２基準信号とを交互に出力するものであり、（１）前記第１基準信号を出力した開始時点からパルス数をカウントして、（２）このカウント数が第１パターン長に対応した第１パターン長パルス数に到達すると第２基準信号を出力し、（３）この第２基準信号を出力した開始時点からパルス数をカウントして、（４）このカウント数が第２パターン長に対応した第２パターン長パルス数に到達すると前記第１基準信号を再び出力する制御部と、前記第１間欠部を制御するものであり、（１）前記第１基準信号が入力した開始時点から前記パルス数をカウントして、（２）このカウント数が第１遅延パルス数に到達すると前記第１間欠部に塗工開始を指示して前記塗工区間を形成し始め、（３）この塗工開始になった時点から前記パルス数をカウントして、（４）このカウント数が前記第１塗工パルス数に到達すると前記第１間欠部に塗工終了を指示して前記塗工区間の形成を終了する第１カウンタと、前記第１間欠部を制御するものであり、（１）前記第２基準信号が入力した開始時点から前記パルス数をカウントして、（２）このカウント数が第２遅延パルス数に到達すると前記第１間欠部に塗工開始を指示して前記塗工区間を形成し始め、（３）この塗工開始になった時点から前記パルス数をカウントして、（４）このカウント数が第２塗工パルス数になると前記第１間欠部に塗工終了を指示して前記塗工区間の形成を終了する第２カウンタと、を有する間欠塗工装置である。
【発明の効果】
【０００７】
本発明によれば、ウエブにおける塗工区間と未塗工区間の長さを正確に塗工できる。
【図面の簡単な説明】
【０００８】
【図１】実施形態１の間欠塗工装置の説明図である。
【図２】実施形態１のウエブの拡大図である。
【図３】実施形態１の間欠塗工装置のブロック図である。
【図４】実施形態１のタイミングチャートである。
【図５】実施形態２の間欠塗工装置の説明図である。
【図６】実施形態２のウエブの拡大図である。
【図７】実施形態２の間欠塗工装置のブロック図である。
【図８】実施形態２の間欠塗工装置のタイムチャートである。
【図９】両面間欠塗工の変更例のウエブの拡大図である。
【図１０】実施形態２の変更例の間欠塗工装置の説明図である。
【発明を実施するための形態】
【０００９】
以下、本発明の一実施形態の間欠塗工装置について図面に基づいて説明する。
【実施形態１】
【００１０】
実施形態１の片面間欠塗工装置１０について図１〜図４に基づいて説明する。
【００１１】
本実施形態の片面間欠塗工装置１０は、布帛、フィルム、金属箔、金属網などの長尺状のウエブＷの上面に塗工液を間欠塗工する。本明細書では、図２に示すようにウエブＷへ塗工液を塗工した部分を「塗工区間」と呼び、塗工液を塗工しなかった部分を「未塗工区間」と呼び、隣接する一組の塗工区間の長さと未塗工区間の長さとを併せて「パターン長」と呼ぶ。
【００１２】
（１）片面間欠塗工装置１０の構造
片面間欠塗工装置１０の構造について図１と図２に基づいて説明する。
【００１３】
ウエブＷがバックアップロール１２を通り、ガイドロール１４を経て、不図示の熱処理装置などに送られる。バックアップロール１２は、モータ１６によって回転し、ウエブＷを所定の走行速度Ｖで走行させる。モータ１６には、モータ１６の回転速度を測定するエンコーダ２６が取り付けられている。
【００１４】
バックアップロール１２の側方には、ダイ１８が配されている。ダイ１８の内部には液溜め部２０が設けられ、ダイ１８は、液溜め部２０からつながっているスリット状の吐出口２２から塗工液をウエブＷの幅方向に吐出して塗工する。ダイ１８の液溜め部２０には、不図示の塗工タンクからバルブ２４を経て塗工液が供給され、バルブ２４の開閉によってウエブＷに塗工区間と未塗工区間が交互に形成される。図２に示すようにバルブ２４が開状態のときには塗工液がウエブＷへ塗工されて塗工区間が形成され、閉状態のときにはウエブＷへ塗工液が塗工されないので未塗工区間が形成される。
【００１５】
ダイ１８、ガイドロール１４の下流側の走行路の上方には、ダイ１８によって塗工された塗工区間の長さを測定するための測長センサ３４が設けられている。この測長センサ３４としては、例えば反射型の光センサを用いる。
【００１６】
（２）片面間欠塗工装置１０の電気的構成
次に、片面間欠塗工装置１０の電気的構成について図３のブロック図に基づいて説明する。
【００１７】
片面間欠塗工装置１０を制御する制御部２８には、モータ１６、エンコーダ２６、第１カウンタ３０、第２カウンタ３２、測長センサ３４が接続されている。制御部２８、第１カウンタ３０、第２カウンタ３２によって間欠塗工を行う塗工制御部が構成されている。
【００１８】
エンコーダ２６は、モータ１６の回転速度を計測し、その回転速度に基づいて制御部２８へパルス信号を出力する。パルス信号に含まれる単位時間当たりのパルス数は、モータ１６の回転速度、すなわちウエブＷの走行速度Ｖに比例する。
【００１９】
制御部２８は、エンコーダ２６からのパルス信号のパルス数に基づいてＨ又はＬの基準信号を第１カウンタ３０と第２カウンタ３２に出力する。また、制御部２８は、第１カウンタ３０と第２カウンタ３２にそれぞれパルス信号を出力する。この出力するパルス信号は、エンコーダ２６のパルス信号をそのまま出力する。
【００２０】
第１カウンタ３０は、基準信号とパルス信号のパルス数に基づいてバルブ２４の開閉を行う。なお、第１カウンタ３０は、第２カウンタ３２がバルブ２４の開閉動作をしている間は、パルス信号のパルス数のカウントのみ行い、バルブ２４の開閉動作を行わない。
【００２１】
第２カウンタ３２は、基準信号とパルス信号のパルス数に基づいてバルブ２４の開閉を行う。なお、第２カウンタ３２は、第１カウンタ３０がバルブ２４の開閉動作をしている間は、パルス信号のパルス数のカウントのみ行い、バルブ２４の開閉動作を行わない。
【００２２】
（３）片面間欠塗工装置１０の主制御方法
次に、片面間欠塗工装置１０の主制御方法について図４のタイミングチャートに基づいて説明する。
【００２３】
（３−１）制御部２８  
まず、制御部２８は、第１カウンタ３０と第２カウンタ３２にＨｉの基準信号（すなわち、第１基準信号）を出力する。以下、この時点を「開始時点」という。１回目の開始時点で制御部２８がＨｉの基準信号を出力するときは、第１カウンタ３０が第２カウンタ３２より先にバルブ２４の開閉動作をするように設定しておく。
【００２４】
次に、制御部２８は、１回目の開始時点からパルス数のカウントを開始し、このカウント数が終了パルス数Ａに到達すると基準信号をＨｉからＬｏに変化させる（すなわち、第１基準信号を出力を停止する）。
【００２５】
次に、制御部２８は、１回目の開始時点からパルス数をカウントし続け、このカウント数がパターン長パルス数Ｂに到達すると基準信号をＬｏからＨｉに変化させる（すなわち、第２基準信号を出力する）。この時点が２回目の開始時点となる。「パターン長パルス数Ｂ」とは、ウエブＷが走行速度Ｖでパターン長Ｌを走行するときに出力されるエンコーダ２６からのパルス数を意味し、０＜終了パルス数Ａ＜パターン長パルス数Ｂである。
【００２６】
次に、制御部２８は、２回目の開始時点からパルス数のカウントを開始し、このカウント数が終了パルス数Ａに到達すると基準信号をＨｉからＬｏに変化させる（すなわち、第２基準信号を出力を停止する）。
【００２７】
次に、制御部２８は、２回目の開始時点からパルス数をカウントし続け、このカウント数がパターン長パルス数Ｂに到達すると基準信号をＬｏからＨｉに変化させる（すなわち、第１基準信号を出力する）。この時点が３回目の開始時点である。
【００２８】
以下、同様にして、制御部２８は、各開始時点で基準信号をＬｏからＨｉに変化させると共にパルス数のカウントを開始し、このカウント数が終了パルス数Ａに到達すると基準信号をＨｉからＬｏに変化させ、このカウント数がパターン長パルス数Ｂに到達すると基準信号をＬｏからＨｉに変化させる。すなわち、制御部２８は、パターン長パルス数Ｂに対応したパルス数がカウントされる毎に第１基準信号と第２基準信号を交互に出力する。
【００２９】
（３−２）第１カウンタ３０と第２カウンタ３２
まず、第１カウンタ３０は、１回目のＨｉの基準信号（すなわち、第１基準信号である）が入力したとき（１回目の開始時点）から、パルス信号のパルス数のカウントを開始する。
【００３０】
次に、第１カウンタ３０は、このカウント数が遅延パルス数Ｃに到達すると、バルブ２４を閉状態から開状態に制御する。これにより、走行速度Ｖで走行しているウエブＷに塗工が開始される。なお、遅延パルス数Ｃについては、後から説明する。
【００３１】
次に、第１カウンタ３０は、バルブ２４を開状態にした時点からのパルスのカウント数が塗工パルス数（第１塗工パルス数）Ｄに到達するとバルブ２４を閉状態にする。「塗工パルス数Ｄ」とは、ウエブＷが走行速度Ｖで塗工区間の長さを走行するときに出力されるパルス数を意味し、０＜塗工パルス数Ｄ＜パターン長パルス数Ｂである。これにより、正確な長さの塗工区間がウエブＷに形成される。また、ウエブＷには、この閉状態にした時点から塗工が終了し、１回目の未塗工区間の形成が始まる。
【００３２】
次に、第２カウンタ３２は、２回目のＨｉの基準信号（すなわち、第２基準信号である）が入力したとき（２回目の開始時点）からパルス数のカウントを開始する。
【００３３】
次に、第２カウンタ３２は、このカウント数が遅延パルス数Ｃに到達すると、バルブ２４を閉状態から開状態にする。これにより１回目の未塗工区間が終了し、２回目の塗工区間の形成が始まる。なお、図４に示すように、遅延パルス数Ｃに基づく遅延時間は、第１カウンタ３０と第２カウンタ３２の動作が確実になるようにするための動作時間に加えて、第１カウンタ３０によってバルブ２４が閉状態になった後に、第２カウンタ３２によってバルブ２４を開状態に制御できるまでの時間に対応したパルス数に設定する。
【００３４】
次に、第２カウンタ３２は、バルブ２４を開状態にした時点からのパルスのカウント数が、塗工パルス数Ｄに到達するとバルブ２４を閉状態にする。これにより２回目の塗工区間の形成が終了し、２回目の未塗工区間の形成が始まる。
【００３５】
次に、第１カウンタ３０は、３回目のＨｉの基準信号（すなわち、２回目の第１基準信号である）が入力したとき（３回目の開始時点）からパルス数のカウントを開始する。
【００３６】
次に、第１カウンタ３０は、このカウント数が遅延パルス数Ｃに到達すると、バルブ２４を閉状態から開状態にする。これにより２回目の未塗工区間の形成が終了し、３回目の塗工区間の形成が始まる。なお、未塗工区間の長さは（Ｌ−Ｍ）である。
【００３７】
次に、第１カウンタ３０は、バルブ２４を開状態にした時点からのパルスのカウント数が、塗工パルス数Ｄに到達するとバルブ２４を閉状態にする。これにより３回目の塗工区間の形成が終了し、３回目の未塗工区間の形成が始まる。
【００３８】
次に、第２カウンタ３２は、４回目のＨｉの基準信号（すなわち、２回目の第２基準信号である）が入力したとき（４回目の開始時点）からパルス数のカウントを開始する。
【００３９】
次に、第２カウンタ３２は、このカウント数が遅延パルス数Ｃに到達すると、バルブ２４を閉状態から開状態にする。これにより３回目の未塗工区間の形成が終了し、４回目の塗工区間の形成が始まる。
【００４０】
次に、第２カウンタ３２は、バルブ２４を開状態にした時点からのパルスのカウント数が、塗工パルス数Ｄに到達するとバルブ２４を閉状態にする。これにより４回目の塗工区間の形成が終了し、４回目の未塗工区間の形成が始まる。
【００４１】
以下同様にして、第１カウンタ３０と第２カウンタ３２によって交互にバルブ２４を開閉させ、パターン長を維持しつつ塗工区間と未塗工区間をウエブＷに形成する。
【００４２】
（４）片面間欠塗工装置１０のフィードバック制御方法
次に、片面間欠塗工装置１０のフィードバック制御方法について説明する。このフィードバック制御方法においては、制御部２８がフィードバック制御部も兼ねている。
【００４３】
まず、制御部２８は、ダイ１８によってウエブＷの上面に塗工された塗工区間の長さＭを測長センサ３４を用いて常に測定している。また、制御部２８には、予め設定された目的の塗工区間の長さＭを示す基準長さ（第１基準長さ）Ｓが記憶されている。
【００４４】
制御部２８は、測長センサ３４から入力した塗工区間の長さＭと、基準長さＳとを比較し、その差分を計算する。制御部２８は、この計算によって塗工区間の長さＭが基準長さＳより長い場合には、その差分だけ塗工区間の長さＭを短くする必要があるため、その差分の長さに対応したパルス数（その差分の長さを走行速度Ｖで移動する時間に発生するパルス数）を主制御方法における塗工パルス数Ｄから差し引く。これによって、塗工される塗工区間の長さＭが短くなり、目的の塗工区間の長さＭに塗工される。
【００４５】
一方、制御部２８は、塗工区間の長さＭが基準長さＳより短い場合には、その差分の長さに対応したパルス数（その差分の長さを走行速度Ｖで移動する時間に発生するパルス数）を塗工パルス数Ｄに追加して、塗工区間の長さＭを長くする。これにより、目的の塗工区間の長さＭとなる。
【００４６】
（５）効果
上記実施形態の片面間欠塗工装置１０であると、モータ１６の回転速度に比例したパルス信号のパルス数によって、塗工区間と未塗工区間とを形成するため、正確に塗工できる。特に、測定した塗工区間の長さＭと基準長さＳの差分に応じたパルス数を、塗工パルス数から追加又は差し引いてフィードバック制御を行うことにより、より正確に塗工できる。
【００４７】
（６）変更例
上記実施形態１の変更例について説明する。
【００４８】
上記実施形態１では、パターン長Ｌは毎回同じであったが、変更例としては、毎回異なるパターン長にすることもできる。この場合には、制御部２８と第１カウンタ３０と第２カウンタ３２は、その異なるパターン長に対応したパターン長パルス数と塗工パルス数を記憶しておく。
【００４９】
また、上記実施形態１では、第１カウンタ３０がカウントする遅延パルス数Ｃと第２カウンタ３２がカウントする遅延パルス数Ｃとが同じであったが、第１カウンタ３０の遅延パルス数（第１遅延パルス数Ｃ１）と第２カウンタ３２の遅延パルス数（第２遅延パルス数Ｃ２）をそれぞれ異なる値にしてもよい。
【００５０】
また、上記実施形態１では、第１カウンタ３０がカウントする塗工パルス数Ｄと第２カウンタ３２がカウントする塗工パルス数Ｄとが同じであったが、第１カウンタ３０の塗工パルス数（第１塗工パルス数Ｄ１）と第２カウンタ３２の塗工パルス数（第２塗工パルス数Ｄ２）をそれぞれ異なる値にすれば、塗工区間と未塗工区間の長さを交互に変化させることができる。
【００５１】
また、特許文献２に示すように、片面間欠塗工装置１０にバルブ２４が閉状態のときに塗工液を塗工タンクに循環させるための循環バルブを設け、塗工タンクに塗工液を循環させてもよい。このときには、循環バルブの動作時間を確保するために上記実施形態の遅延時間（遅延パルス数）にこの動作時間を加える。
【実施形態２】
【００５２】
実施形態２の両面間欠塗工装置１００について図５〜図８に基づいて説明する。本実施形態ではウエブＷの両面に塗工液を間欠塗工する。
【００５３】
（１）両面間欠塗工装置１００の構造
両面間欠塗工装置１００の構造について図２に基づいて説明する。
【００５４】
実施形態１と同様にバックアップロール１１２によってウエブＷが走行速度Ｖで走行する。バックアップロール１１２はモータ１１６によって回転し、モータ１１６にはエンコーダ１２６が取り付けられている。
【００５５】
第１ダイである上ダイ１１８は、バックアップロール１１２の側方に配され、ウエブＷの上面に間欠塗工する。上ダイ１１８には、液溜め部１２０が形成され、スリット状の吐出口１２２から塗工液をウエブＷの幅方向に吐出する。また、上ダイ１１８には第１バルブである上バルブ１２４が設けられ、この上バルブ１２４の開閉によってウエブＷの上面に間欠塗工を行う。上バルブ１２４は、第１カウンタ１３０と第２カウンタ１３２によって開閉動作が行われる。
【００５６】
第２ダイである下ダイ１３４は、バックアップロール１１２と上ダイ１１８、ガイドロール１１４の下流側の走行路の下方に配され、ウエブＷの下面に間欠塗工する。下ダイ１３４には、液溜め部１３６が形成され、スリット状の吐出口１３８から塗工液をウエブＷの幅方向に吐出する。また、下ダイ１３４には第２バルブである下バルブ１４０が設けられ、この下バルブ１４０の開閉によってウエブＷの下面に間欠塗工を行う。下バルブ１４０は、第３カウンタ１４２と第４カウンタ１４４によって開閉動作が行われる。
【００５７】
上ダイ１１８と下ダイ１３４の下流側における走行路の上方には、上測長センサ１４６が配され、下方には下測長センサ１４８が配されている。この上測長センサ１４６は、上ダイ１１８によって塗工された上塗工区間の長さＭｕを測定するものであり、下測長センサ１４８は下ダイ１３４によって塗工された下塗工区間の長さＭｄを測定する。それぞれ測定した上塗工区間の長さＭｕ、下塗工区間の長さＭｄは、制御部１２８に出力される。
【００５８】
これによって、図６に示すように、両面間欠塗工装置１００は、ウエブＷの上面と下面にそれぞれ塗工区間と未塗工区間を交互に形成する。
【００５９】
（２）両面間欠塗工装置１００の電気的構成
両面間欠塗工装置１００の電気的構成について図７のブロック図に基づいて説明する。
【００６０】
両面間欠塗工装置１００の制御部１２８には、エンコーダ１２６、モータ１１６、第１カウンタ１３０、第２カウンタ１３２、第３カウンタ１４２、第４カウンタ１４４、上測長センサ１４６、下測長センサ１４８が接続されている。第１カウンタ１３０と第２カウンタ１３２によって上バルブ１２４が開閉され、第３カウンタ１４２と第４カウンタ１４４によって下バルブ１４０が開閉される。
【００６１】
（３）両面間欠塗工装置１００の主制御方法
次に、両面間欠塗工装置１００の主制御方法について図８のタイミングチャートに基づいて説明する。このタイミングチャートにおいて、エンコーダ１２６からのパルス信号、制御部１２８からの基準信号、第１カウンタ１３０、第２カウンタ１３２、上バルブ１２４は、実施形態１のエンコーダ２６からのパルス信号、制御部２８からの基準信号、第１カウンタ３０、第２カウンタ３２、バルブ２４と同様の信号及び動作である。そのため、これらの説明は省略し、本実施形態の特徴であるウエブＷの下面を塗工する第３カウンタ１４２、第４カウンタ１４４について説明する。なお、パターン長Ｌは、ウエブＷの上面と下面と同じ長さである。また、実施形態１の「遅延パルス数Ｃ」は、本実施形態では「上遅延パルス数Ｃｕ」と呼ぶ。
【００６２】
まず、第３カウンタ１４２は、１回目のＨｉの基準信号（すなわち、第１基準信号である）が入力したとき（１回目の開始時点）から、パルス信号のパルス数のカウントを開始する。
【００６３】
次に、第３カウンタ１４２は、このカウント数が下遅延パルス数Ｃｄに到達すると、バルブ２４を閉状態から開状態に制御する。これにより、走行速度Ｖで走行しているウエブＷの下面に塗工が開始される。なお、下遅延パルス数Ｃｄについては、後から詳しく説明する。
【００６４】
次に、第３カウンタ１４２は、バルブ２４を開状態にした時点からのパルスのカウント数が、塗工パルス数Ｄに到達すると下バルブ１４０を閉状態にする。これにより、正確な長さの塗工区間がウエブＷの下面に形成される。また、ウエブＷには、この閉状態にした時点から塗工が終了し、１回目の未塗工区間の形成が始まる。
【００６５】
次に、第４カウンタ１４４は、２回目のＨｉの基準信号（すなわち、第２基準信号である）が入力したとき（２回目の開始時点）からパルス数のカウントを開始する。
【００６６】
次に、第４カウンタ１４４は、このカウント数が下遅延パルス数Ｃｄに到達すると、下バルブ１４０を閉状態から開状態にする。これにより１回目の未塗工区間の形成が終了し、２回目の塗工区間の形成が始まる。なお、図８に示すように、下遅延パルス数Ｃｄは、上ダイ１１８から下ダイ１３４までの走行時間と、第３カウンタ１４２と第４カウンタ１４４の動作が確実になるようにするための動作時間と、第３カウンタ１４２によって下バルブ１４０が閉状態になった後に、第４カウンタ１４４によって下バルブ１４０が開状態に制御できる時間に対応したパルス数に設定する。
【００６７】
次に、第４カウンタ１４４は、下バルブ１４０を開状態にした時点からのパルスのカウント数が塗工パルス数Ｄに到達すると下バルブ１４０を閉状態にする。これにより２回目の塗工区間の形成が終了し、２回目の未塗工区間の形成が始まる。
【００６８】
次に、第３カウンタ１４２は、３回目のＨｉの基準信号（すなわち、２回目の第１基準信号である）が入力したとき（３回目の開始時点）からパルス数のカウントを開始する。
【００６９】
次に、第３カウンタ１４２は、このカウント数が下遅延パルス数Ｃｄに到達すると、下バルブ１４０を閉状態から開状態にする。これにより２回目の未塗工区間の形成が終了し、３回目の塗工区間の形成が始まる。
【００７０】
次に、第３カウンタ１４２は、下バルブ１４０を開状態にした時点からのパルスのカウント数が、塗工パルス数Ｄに到達すると下バルブ１４０を閉状態にする。これにより３回目の塗工区間の形成が終了し、３回目の未塗工区間の形成が始まる。
【００７１】
次に、第４カウンタ１４４は、４回目のＨｉの基準信号（すなわち、２回目の第２基準信号である）が入力したとき（４回目の開始時点）からパルス数のカウントを開始する。
【００７２】
次に、第４カウンタ１４４は、このカウント数が下遅延パルス数Ｃｄに到達すると、下バルブ１４０を閉状態から開状態にする。これにより３回目の未塗工区間の形成が終了し、４回目の塗工区間の形成が始まる。
【００７３】
次に、第４カウンタ１４４は、下バルブ１４０を開状態にした時点からのパルスのカウント数が、塗工パルス数Ｄに到達すると下バルブ１４０を閉状態にする。これにより４回目の塗工区間の形成が終了し、４回目の未塗工区間の形成が始まる。
【００７４】
以下同様にして、第３カウンタ１４２と第４カウンタ１４４によって交互に下バルブ１４０を開閉させ、パターン長Ｌを維持しつつ塗工区間と未塗工区間をウエブＷの下面に形成する。
【００７５】
（４）両面間欠塗工装置１００のフィードバック制御方法
次に、両面間欠塗工装置１００のフィードバック制御方法について説明する。このフィードバック制御方法においては、制御部１２８がフィードバック制御部も兼ねている。本実施形態では、図６に示すように、ウエブＷの上塗工区間の長さＭｕと下塗工区間の長さＭｄとが同じになるように塗工する場合について説明する。そのため、上塗工パルス数Ｄｕと下塗工パルスＤｄは同じ値となる。なお、上未塗工区間の長さは（Ｌ−Ｍｕ）であり、下未塗工区間の長さは（Ｌ−Ｍｄ）である。
【００７６】
まず、制御部１２８は、ダイ１１８によってウエブＷの上面に塗工された上塗工区間の長さＭｕを上測長センサ１４６を用いて常に測定し、ウエブＷの下面に塗工された下塗工区間の長さＭｄを上測長センサ１４８を用いて常に測定している。制御部１２８には、予め設定された目的の上塗工区間の長さＭｕを示す第１基準長さＳ１、予め設定された目的の下塗工区間の長さＭｄを示す第２基準長さＳ２が記憶されている。
【００７７】
制御部１２８は、上測長センサ１４６から入力した上塗工区間の長さＭｕと、第１基準長さＳ１とを比較し、その差分を計算する。制御部１２８は、この計算によって上塗工区間の長さＭｕが第１基準長さＳ１より長い場合には、その差分だけ上塗工区間の長さＭｕを短くする必要があるため、その差分の長さに対応したパルス数（その差分の長さを走行速度Ｖで移動する時間に発生するパルス数）を主制御方法における上塗工パルス数Ｄｕから差し引く。これによって、塗工される上塗工区間の長さＭｕが短くなり、目的の上塗工区間の長さＭｕに塗工される。
【００７８】
一方、制御部１２８は、上塗工区間の長さＭｕが第１基準長さＳ１より短い場合には、その差分の長さに対応したパルス数（その差分の長さを走行速度Ｖで移動する時間に発生するパルス数）を上塗工パルス数Ｄｕに追加して、上塗工区間の長さＭｕを長くする。これにより、目的の上塗工区間の長さＭｕとなる。
【００７９】
また、制御部１２８は、下測長センサ１４８から入力した下塗工区間の長さＭｄと、第２基準長さＳ２とを比較し、その差分を計算する。制御部１２８は、この計算によって下塗工区間の長さＭｄが第２基準長さＳ２より長い場合には、その差分だけ下塗工区間の長さＭｄを短くする必要があるため、その差分の長さに対応したパルス数（その差分の長さを走行速度Ｖで移動する時間に発生するパルス数）を主制御方法における下塗工パルス数Ｄｄから差し引く。これによって、塗工される下塗工区間の長さＭｄが短くなり、目的の下塗工区間の長さＭｄに塗工される。
【００８０】
一方、制御部１２８は、下塗工区間の長さＭｄが第２基準長さＳ２より短い場合には、その差分の長さに対応したパルス数（その差分の長さを走行速度Ｖで移動する時間に発生するパルス数）を下塗工パルス数Ｄｄに追加して、下塗工区間の長さＭｄを長くする。これにより、目的の下塗工区間の長さＭｄとなる。
【００８１】
（５）効果
本実施形態であると、ウエブＷの両面の塗工区間と未塗工区間とを目的の長さで塗工でき、また、上塗工区間と下塗工区間との位置を正確に合わせることができる。特に、フィードバック制御することにより、より正確に塗工できる。
【００８２】
（６）変更例
上記実施形態２の変更例について説明する。
【００８３】
図９に示すように、ウエブＷの上塗工区間の長さＭｕと、下塗工区間の長さＭｄが異なるように塗工する場合には、上塗工パルス数Ｄｕと下塗工パルスＤｄを異なる値に設定すればよい。但し、パターン長Ｌは上面及び下面共に同じである。さらに、上塗工区間の開始位置と下塗工区間の開始位置をずらせる場合には、そのずらした長さ分だけ下遅延パルス数Ｃｄを上遅延パルス数Ｃｕより長くする。
【００８４】
また、両面間欠塗工装置１００としては、図１０に示すように、ガイドロール１１４の下流側にウエブＷに間欠塗工する上ダイ１１８と下ダイ１３４を配置してもよい。
【００８５】
また、上記実施形態２では、第１カウンタ１３０、第２カウンタ１３２、第３カウンタ１４２、第４カウンタ１４４がカウントする塗工パルス数Ｄが全て同じであったが、第１カウンタ３０の塗工パルス数（第１塗工パルス数Ｄ１）、第２カウンタ３２の塗工パルス数（第２塗工パルス数Ｄ２）、第３カウンタ１４２の塗工パルス数（第３塗工パルス数Ｄ３）、第４カウンタ１４４の塗工パルス数（第４塗工パルス数Ｄ４）をそれぞれ異なる値にすれば、ウエブＷの上下面の塗工区間と未塗工区間の長さをそれぞれ交互に変化させることができる。
【００８６】
また、上記実施形態２では、第３カウンタ１４２、第４カウンタ１４４がカウントする下遅延パルス数Ｃｄが全て同じであったが、第３カウンタ１４２の下遅延パルス数（第３遅延パルス数）、第４カウンタ１４４の下遅延パルス数（第４遅延パルス数）をそれぞれ異なる値にしてもよい。
【変更例】
【００８７】
上記各実施形態の変更例について説明する。
【００８８】
（１）変更例１
上記実施形態１では、バルブで塗工液を間欠的に送って間欠塗工を行っていたが、これに代えて、ダイ１８を第１移動手段（例えば、エアーシリンダやモータ）で移動させ、ダイ１８の先端がウエブＷに近接したとき塗工が行われて塗工区間を形成し、離間したとき塗工が行われず未塗工区間を形成するようにしてもよい。
【００８９】
また、ダイ１１８も第２移動手段（例えば、エアーシリンダやモータ）で移動させて間欠塗工を行ってもよい。
【００９０】
（２）変更例２
上記各実施形態では、モータ１６の回転速度をエンコーダ２６で測定してパルスを発生させたが、このエンコーダ２６に代えてパルス発生器を用いてもよい。
【００９１】
（３）その他
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９２】
１０・・・間欠塗工装置、１２・・・バックアップロール、１６・・・モータ、１８・・・ダイ、２４・・・バルブ、２６・・・エンコーダ、２８・・・制御部、３０・・・第１カウンタ、３２・・・第２カウンタ、３４・・・測長センサ
【図１】
0006377512.tif 000002
【図２】
0006377512.tif 000003
【図３】
0006377512.tif 000004
【図４】
0006377512.tif 000005
【図５】
0006377512.tif 000006
【図６】
0006377512.tif 000007
【図７】
0006377512.tif 000008
【図８】
0006377512.tif 000009
【図９】
0006377512.tif 000010
【図１０】
0006377512.tif 000011